(57)【要約】 【課題】画面の高精細化を図ることが出来るプラズマディスプレイパネルを提供する。【解決手段】隣接する表示ラインＬ１間において、背中合わせに位置する行電極Ｘ１とＹ１がバス電極Ｋｂを共有し、透明電極Ｋａの行電極Ｘ１を構成する部分と列電極Ｄ１との間で放電が開始される電位よりも、透明電極Ｋａの行電極Ｙ１を構成する部分と列電極Ｄ１との間で放電が開始される電位が小さくなるよう構成されている。【選択図】図４
2007053077.tif 000002
【特許請求の範囲】
【請求項１】
一対の基板が放電空間を介して互いに対向され、
この一対の基板のうちの一方の基板の他方の基板に対向する側に、行方向に帯状に延びるとともに列方向に放電ギャップを介して並設された複数の行電極と、この行電極を被覆する誘電体層が設けられ、
前記行電極の列方向の一方の側が第１行電極部を構成し、他方の側が第２行電極部を構成し、この行電極の一方の側の第１行電極部と隣接する他の行電極の他方の側の第２行電極部が放電ギャップを介して対向されて、それぞれ表示ラインを形成する行電極対を構成し、
前記一対の基板のうちの他方の基板の一方の基板に対向する側に、列方向に延び行方向に並設された複数の列電極が設けられて、それぞれ交差する行電極対との間に単位発光領域が形成され、
前記行電極の第１行電極部と列電極との間で放電が開始される電位よりも第２行電極部と列電極との間で放電が開始される電位を小さくする構成を備えていることを特徴とするプラズマディスプレイパネル。
【請求項２】
前記他方の基板の一方の基板に対向する側の列電極上の行電極の第２行電極部に対向する部分以外の部分を被覆する位置に、電極によって形成される電界を弱める層が設けられて、この電界を弱める層により、行電極の第１行電極部と列電極との間で放電が開始される電位よりも第２行電極部と列電極との間で放電が開始される電位が小さくなっている請求項１に記載のプラズマディスプレイパネル。
【請求項３】
前記一対の基板の間に、放電空間を単位発光領域毎に区画する隔壁が設けられ、この隔壁と一体的に電界を弱める層が形成されている請求項２に記載のプラズマディスプレイパネル。
【請求項４】
前記列電極の行電極の第２行電極部に対向する部分の面積が、この列電極の行電極の第１行電極部に対向する部分の面積よりも大きくなっていることによって、行電極の第１行電極部と列電極との間で放電が開始される電位よりも第２行電極部と列電極との間での放電が開始される電位が小さくなっている請求項１に記載のプラズマディスプレイパネル。
【請求項５】
前記列電極の行電極の第２行電極部に対向する部分が屈曲し、他の部分が列方向にほぼ直線状に延びていることによって、列電極の行電極の第２行電極部に対向する部分の面積が第１行電極部に対向する部分の面積よりも大きくなっている請求項４に記載のプラズマディスプレイパネル。
【請求項６】
前記一対の基板の間に、少なくとも列方向に延びる縦壁部を有していて放電空間を単位発光領域毎に区画する隔壁が設けられ、この隔壁の縦壁部に対向する位置に列電極が配置されているとともに、列電極の屈曲している部分が隔壁の縦壁部に対向する位置から行方向の一方の側に張り出している請求項５に記載のプラズマディスプレイパネル。
【請求項７】
前記列電極の行電極の第２行電極部に対向する部分に、列方向に延びる直線部分から行方向に張り出す張出部が形成されていることによって、列電極の行電極の第２行電極部に対向する部分の面積が第１行電極部に対向する部分の面積よりも大きくなっている請求項４に記載のプラズマディスプレイパネル。
【請求項８】
前記一対の基板の間に、少なくとも列方向に延びる縦壁部を有していて放電空間を単位発光領域毎に区画する隔壁が設けられ、この隔壁の縦壁部に対向する位置に列電極が配置されているとともに、列電極の張出部が隔壁の縦壁部と対向する位置から行方向の一方の側に張り出している請求項７に記載のプラズマディスプレイパネル。
【請求項９】
前記列電極が列方向に並ぶ単位発光領域の一列毎に一対ずつ配置され、この一対の列電極のうち一方の列電極が、列方向に並ぶ単位発光領域のうちの奇数番目の表示ラインに位置する各単位発光領域に対向され、他方の列電極が偶数番目の表示ラインに位置する各単位発光領域に対向されている請求項１に記載のプラズマディスプレイパネル。
【請求項１０】
前記一対の列電極のうち一方の列電極が、奇数番目の表示ラインに対向する位置では単位発光領域に対向する位置を列方向に延び、偶数番目の表示ラインに対向する位置では、行方向に隣接する単位発光領域の間の部分に対向する位置を列方向に延びる形状に成形され、他方の列電極が、偶数番目の表示ラインに対向する位置では単位発光領域に対向する位置を列方向に延び、奇数番目の表示ラインに対向する位置では、行方向に隣接する単位発光領域の間の部分に対向する位置を列方向に延びる形状に成形されている請求項９に記載のプラズマディスプレイパネル。
【請求項１１】
一対の基板が放電空間を介して互いに対向され、
この一対の基板のうちの一方の基板の他方の基板に対向する側に、行方向に帯状に延びるとともに列方向に放電ギャップを介して並設された複数の行電極と、この行電極を被覆する誘電体層が設けられ、
前記行電極のうち、列方向において奇数番目に位置する行電極の列方向の両方の側が第１行電極部を構成し、偶数番目に位置する行電極の列方向の両方の側が第２行電極部を構成し、互いに隣接する奇数番目と偶数番目の行電極のそれぞれに構成された第１行電極部と第２行電極部とが放電ギャップを介して対向されて、それぞれ表示ラインを形成する行電極対を構成し、
前記一対の基板のうちの他方の基板の一方の基板に対向する側に、列方向に延び行方向に並設された複数の列電極が設けられて、それぞれ交差する行電極対との間に単位発光領域が形成され、
前記列電極が列方向に並ぶ単位発光領域の一列毎に一対ずつ配置され、この一対の列電極のうち一方の列電極が、列方向に並ぶ単位発光領域のうちの奇数番目の表示ラインに位置する各単位発光領域に対向され、他方の列電極が偶数番目の表示ラインに位置する各単位発光領域に対向されていることを特徴とするプラズマディスプレイパネル。
【請求項１２】
前記一対の列電極のうち一方の列電極が、奇数番目の表示ラインに対向する位置では単位発光領域に対向する位置を列方向に延び、偶数番目の表示ラインに対向する位置では、行方向に隣接する単位発光領域の間の部分に対向する位置を列方向に延びる形状に成形され、他方の列電極が、偶数番目の表示ラインに対向する位置では単位発光領域に対向する位置を列方向に延び、奇数番目の表示ラインに対向する位置では、行方向に隣接する単位発光領域の間の部分に対向する位置を列方向に延びる形状に成形されている請求項１１に記載のプラズマディスプレイパネル。
【請求項１３】
請求項１に記載のプラズマディスプレイパネルにおいて、
それぞれ隣接する前記行電極に互いに逆の電位のリセット・パルスが印加されて各行電極対の第１行電極部と第２行電極部の間で放電ギャップを介してリセット放電が発生されて、単位発光領域内の第１行電極部に対向する部分と第２行電極部に対向する部分の誘電体層に互いに逆の極性の壁電荷が形成され、
次に、前記行電極にスキャン・パルスが順次印加され、奇数行目と偶数行目の行電極対のうちの一方の行電極対において、スキャン・パルスが印加された行電極の第２行電極部とスキャン・パルスとは逆の電位のデータ・パルスが選択的に印加された列電極との間でアドレス放電が発生され、
奇数行目と偶数行目の行電極対のうちの他方の行電極対において、この行電極対を構成する第１行電極部と第２行電極部に互いに逆の電位の電圧パルスが印加されて、この他方の行電極対の第１行電極部と第２行電極部の間で単位発光領域内の第１行電極部に対向する部分と第２行電極部に対向する部分の誘電体層に形成されている壁電荷の極性をそれぞれ反転させる極性反転放電が発生され、この後、スキャン・パルスが印加された行電極の第２行電極部とスキャン・パルスとは逆の電位のデータ・パルスが選択的に印加された列電極との間でアドレス放電が発生され、
次に、隣接する前記行電極に交互にサステイン・パルスが印加されて、アドレス放電によって選択された単位発光領域内において行電極対を構成する第１行電極部と第２行電極部の間でサステイン放電が発生される、
ことを特徴とするプラズマディスプレイパネルの駆動方法。
【請求項１４】
前記他方の行電極対を構成する第１行電極部と第２行電極部に印加される電圧パルスの電圧値のそれぞれの絶対値が、隣接する他の行電極対において放電を発生させる電圧値の絶対値よりも小さい値に設定されている請求項１３に記載のプラズマディスプレイパネルの駆動方法。
【発明の詳細な説明】
【技術分野】
【０００１】
この発明は、面放電方式交流型プラズマディスプレイパネルのパネル構造およびこのプラズマディスプレイパネルの駆動方法に関する。
【背景技術】
【０００２】
近年、面放電方式交流型プラズマディスプレイパネル（以下、ＰＤＰという）が、大型の薄型カラー画面表示装置として普及して来ている。
【０００３】
図１ないし３は従来のＰＤＰの構成を示しており、図１はこの従来のＰＤＰのパネル構造を模式的に示す正面図、図２は図１のＶ−Ｖ線における断面図、図３は図１のＷ−Ｗ線における断面図である。
【０００４】
この図１ないし３において、ＰＤＰの表示面となる前面ガラス基板１側には、その背面側に、それぞれ行方向に延び列方向に並設された複数の行電極対（Ｘ，Ｙ）と、この行電極対（Ｘ，Ｙ）を被覆する誘電体層２と、この誘電体層２の背面を被覆するＭｇＯからなる保護層３が形成されている。
【０００５】
各行電極対（Ｘ，Ｙ）は、互いに対になっている行電極ＸとＹによって構成され、各行電極Ｘ（Ｙ）は、それぞれ、行方向に帯状に延びるとともに列方向の幅が狭い金属膜からなるバス電極Ｘａ（Ｙａ）と、行方向に帯状に延びるとともに列方向の幅がバス電極Ｘａ（Ｙａ）よりも広いＩＴＯ等の透明導電膜からなる透明電極Ｘｂ（Ｙｂ）とによって構成されている。
【０００６】
各行電極Ｘ，Ｙは、行電極対（Ｘ，Ｙ）毎に、バス電極ＸａとＹａが列方向に所要の間隔を開けて配置され、透明電極ＸｂとＹｂが、それぞれ、基端側をバス電極Ｘａ，Ｙａに接続されてこのバス電極Ｘａ，Ｙａから対になっている相手の行電極側に張り出して、先端縁部が、互いに放電ギャップｇを挟んで対向されている。
【０００７】
そして、この各行電極対（Ｘ，Ｙ）によって、それぞれ、マトリクス表示の１表示ラインＬが構成されている。
【０００８】
一方、放電空間Ｓを介して前面ガラス基板１に平行に対向される背面ガラス基板４には、列方向に延び行方向に等間隔に並設された複数の列電極Ｄと、隣接する列電極Ｄの間の中間位置においてそれぞれ列方向に帯状に延びる複数の隔壁５が形成されている。
【０００９】
この隔壁５の側面と隣接する隔壁５の間の背面ガラス基板４の表面上に、それぞれ赤，緑，青の蛍光体層６Ｒ，６Ｇ，６Ｂが行方向に並ぶように形成されて、この各蛍光体層６Ｒ，６Ｇ，６Ｂによって、隣接する隔壁５の各中間位置に配置された列電極Ｄがそれぞれ被覆されている。
【００１０】
そして、前面ガラス基板１側および背面ガラス基板４側の上記の様な構成によって、各表示ラインＬを構成ずる行電極対（Ｘ，Ｙ）と列電極Ｄが交差する部分に対向する部分の放電空間Ｓに、それぞれ放電セルＣが形成されてＰＤＰのパネル面に沿ってマトリクス状に配置され、さらに、この行方向において互いに隣接している放電セルＣのそれぞれの間が、隔壁５によって区画されている。
【００１１】
放電空間Ｓ内には、キセノンを含む放電ガスが封入されている（例えば、特許文献１参照）。
【００１２】
上記のＰＤＰにおける画像表示は、以下のようにして行われる。
【００１３】
すなわち、先ず、リセット期間に、各行電極対（Ｘ，Ｙ）において、放電ギャップｇを介して互いに対向する行電極Ｘの透明電極Ｘｂと行電極Ｙの透明電極Ｙｂ間において一斉にリセット放電が発生されて、誘電体層２の各放電セルＣに対向している部分に全て壁電荷が形成（または、誘電体層２の各放電セルＣに対向している部分の壁電荷が全て消去）される。
【００１４】
次のアドレス期間に、各行電極Ｙにスキャン・パルスが印加されるとともに、列電極Ｄに選択的に映像信号の画像データに対応したデータ・パルスが印加されて、このデータ・パルスが印加された列電極Ｄと行電極Ｙの透明電極Ｙｂとの間で選択的にアドレス放電が発生されて、このアドレス放電が発生された放電セルＣに対向している部分の誘電体層２の壁電荷が消去（または、誘電体層２に壁電荷が形成）される。
【００１５】
これによって、パネル面に、対向している部分の誘電体層２に壁電荷が形成されている放電セル（発光セル）Ｃと、壁電荷が消去されている放電セル（非発光セル）Ｃとが、表示する画像に対応して分布される。
【００１６】
そして、この後、全表示ラインＬにおいて、一斉に、各行電極対（Ｘ，Ｙ）の行電極ＸとＹに対して交互にサステイン・パルスが印加されて、このサステイン・パルスが印加される毎に、各発光セル内においてサステイン放電が発生され、このサステイン放電によって放電空間Ｓ内の放電ガス中のキセノンから真空紫外線が発生されて、この真空紫外線によって各各発光セル内に形成されている赤，緑，青の蛍光体層６Ｒ，６Ｇ，６Ｂがそれぞれ励起されて発光し、これによって、パネル面に、マトリクス表示による画像が形成される。
【００１７】
上記のような構成のＰＤＰに対しては、年々、画面の精細度に対する要求が高まっている。
【００１８】
しかしながら、上記のような従来のＰＤＰにおいて、画面の高精細化（画素数の増加）を図る際には、パネル面に形成される放電セルＣの数を増加させることによって、同じサイズのディスプレイパネルでは、画面の高精細化に伴って放電セルＣのそれぞれの開口面積が小さくなり、輝度が低下するとともに、各行電極対（Ｘ，Ｙ）の間のピッチが小さくなることによって、隣接する放電セルＣ間において誤放電が発生し易くなるという問題が生じる。
【００１９】
さらにまた、上記従来のＰＤＰは、行電極対（Ｘ，Ｙ）を構成する各行電極Ｘ，Ｙのそれぞれがバス電極と透明電極を備えているため、画面の高精細化による画素数の増加にともなって、パネル面における放電セルＣの開口面積に対する行電極対（Ｘ，Ｙ）の設置面積の割合が大きくなり、このため、画面の高精細化を図る際の余地が小さいという問題を有している。
【００２０】
例えば、上記従来の構成のＰＤＰでは、４０インチ・サイズでフルＨＤ仕様の解像度（１９２０×１０８０）のＰＤＰの製造において、赤，緑，青の三個の放電セルＣによって構成される画素の一辺の長さを４５０μｍとする場合には、各放電セルＣの開口部の寸法が１９０μｍ×１１０μｍとなって、著しく小さくなってしまい、プラズマの陽光柱（陰極と陽極との間の空間に発生するプラズマ）が充分に大きくなることが出来ないために、輝度の低下や発光効率の低下を招くことになる。
【００２１】
このため、上記従来の構成のＰＤＰでは、例えば２６インチ等の小型サイズのＰＤＰにおいて、画面の高精細化を図ることは極めて困難である。
【００２２】
【特許文献１】特開２００２−１９７９８１号公報
【発明の開示】
【発明が解決しようとする課題】
【００２３】
この発明は、上記のような従来のＰＤＰが有する問題点を解決することをその技術的課題の一つとしている。
【課題を解決するための手段】
【００２４】
第１の発明（請求項１に記載の発明）によるＰＤＰは、上記目的を達成するために、一対の基板が放電空間を介して互いに対向され、この一対の基板のうちの一方の基板の他方の基板に対向する側に、行方向に帯状に延びるとともに列方向に放電ギャップを介して並設された複数の行電極と、この行電極を被覆する誘電体層が設けられ、前記行電極の列方向の一方の側が第１行電極部を構成し、他方の側が第２行電極部を構成し、この行電極の一方の側の第１行電極部と隣接する他の行電極の他方の側の第２行電極部が放電ギャップを介して対向されて、それぞれ表示ラインを形成する行電極対を構成し、前記一対の基板のうちの他方の基板の一方の基板に対向する側に、列方向に延び行方向に並設された複数の列電極が設けられて、それぞれ交差する行電極対との間に単位発光領域が形成され、前記行電極の第１行電極部と列電極との間で放電が開始される電位よりも第２行電極部と列電極との間で放電が開始される電位を小さくする構成を備えていることを特徴としている。
【００２５】
第２の発明（請求項１１に記載の発明）によるＰＤＰは、前記目的を達成するために、一対の基板が放電空間を介して互いに対向され、この一対の基板のうちの一方の基板の他方の基板に対向する側に、行方向に帯状に延びるとともに列方向に放電ギャップを介して並設された複数の行電極と、この行電極を被覆する誘電体層が設けられ、前記行電極のうち、列方向において奇数番目に位置する行電極の列方向の両方の側が第１行電極部を構成し、偶数番目に位置する行電極の列方向の両方の側が第２行電極部を構成し、互いに隣接する奇数番目と偶数番目の行電極のそれぞれに構成された第１行電極部と第２行電極部とが放電ギャップを介して対向されて、それぞれ表示ラインを形成する行電極対を構成し、前記一対の基板のうちの他方の基板の一方の基板に対向する側に、列方向に延び行方向に並設された複数の列電極が設けられて、それぞれ交差する行電極対との間に単位発光領域が形成され、前記列電極が列方向に並ぶ単位発光領域の一列毎に一対ずつ配置され、この一対の列電極のうち一方の列電極が、列方向に並ぶ単位発光領域のうちの奇数番目の表示ラインに位置する各単位発光領域に対向され、他方の列電極が偶数番目の表示ラインに位置する各単位発光領域に対向されていることを特徴としている。
【００２６】
第３の発明（請求項１３に記載の発明）によるＰＤＰの駆動方法は、前記目的を達成するために、第１の発明のＰＤＰにおいて、それぞれ隣接する前記行電極に互いに逆の電位のリセット・パルスが印加されて各行電極対の第１行電極部と第２行電極部の間で放電ギャップを介してリセット放電が発生されて、単位発光領域内の第１行電極部に対向する部分と第２行電極部に対向する部分の誘電体層に互いに逆の極性の壁電荷が形成され、次に、前記行電極にスキャン・パルスが順次印加され、奇数行目と偶数行目の行電極対のうちの一方の行電極対において、スキャン・パルスが印加された行電極の第２行電極部とスキャン・パルスとは逆の電位のデータ・パルスが選択的に印加された列電極との間でアドレス放電が発生され、奇数行目と偶数行目の行電極対のうちの他方の行電極対において、この行電極対を構成する第１行電極部と第２行電極部に互いに逆の電位の電圧パルスが印加されて、この他方の行電極対の第１行電極部と第２行電極部の間で単位発光領域内の第１行電極部に対向する部分と第２行電極部に対向する部分の誘電体層に形成されている壁電荷の極性をそれぞれ反転させる極性反転放電が発生され、この後、スキャン・パルスが印加された行電極の第２行電極部とスキャン・パルスとは逆の電位のデータ・パルスが選択的に印加された列電極との間でアドレス放電が発生され、次に、隣接する前記行電極に交互にサステイン・パルスが印加されて、アドレス放電によって選択された単位発光領域内において行電極対を構成する第１行電極部と第２行電極部の間でサステイン放電が発生されることを特徴としている。
【発明を実施するための最良の形態】
【００２７】
この発明によるＰＤＰは、放電空間を介して互いに対向される一対の基板のうちの一方の基板の内面側に、行方向に帯状に延びる行電極が列方向に放電ギャップを介して並設され、行電極の列方向の一方の側が第１行電極部を構成し、他方の側が第２行電極部を構成し、この行電極の一方の側の第１行電極部と隣接する他の行電極の他方の側の第２行電極部が放電ギャップを介して対向されて、それぞれ表示ラインを形成する行電極対を構成し、他方の基板の内面側に、列方向に延びて交差する行電極対との間に単位発光領域を形成する列電極が行方向に並設され、行電極の第１行電極部と列電極との間で放電が開始される電位よりも第２行電極部と列電極との間で放電が開始される電位が小さくなるよう構成されているＰＤＰをその最良の実施形態の一つとしている。
【００２８】
この実施形態によるＰＤＰは、行電極にスキャン・パルスが印加され、列電極に選択的にデータ・パルスが印加されて、スキャン・パルスが印加された行電極の第２行電極部とデータ・パルスが印加された列電極との間でアドレス放電が発生される。
【００２９】
このアドレス放電が発生される際に、行電極にスキャン・パルスが印加されると、この行電極の第１行電極部にも電位が発生するが、この第１行電極部とデータ・パルスが印加された列電極との間で放電を発生させる電位よりも第２行電極部と列電極との間で放電を発生させる電位の方が小さくなるように構成されていることによって、必ず第２行電極部と列電極との間で放電が発生するようになり、第２行電極部と列電極との間で誤って放電が発生することはない。
【００３０】
従って、上記実施形態のＰＤＰによれば、隣接する表示ライン間において、背中合わせに位置する第１行電極部と第２行電極部が一体に形成されている場合でも、アドレス放電の際の誤放電の発生が防止されるので、プログレッシブ走査駆動が可能となり、画面のちらつきが防止されるとともに、輝度の向上が図られる。
【００３１】
そして、上記ＰＤＰは、隣接する表示ライン間において背中合わせに位置する第１行電極部と第２行電極部が一体に形成されていることによって、表示ライン間に形成される非表示領域が従来のＰＤＰと比較して非常に小さくなり、画面の高精細化によりパネル面における放電セルの数が増加する場合でも、単位発光領域一個当たりの面積を従来のＰＤＰに比べて大きくすることが出来るので、充分な輝度を確保しながら画面の高精細化を図ることが可能となる。
【００３２】
上記実施形態のＰＤＰにおいて、行電極の第１行電極部と列電極との間で放電が開始される電位よりも第２行電極部と列電極との間で放電が開始される電位を小さくする構成としては、列電極上の行電極の第２行電極部に対向する部分以外の部分を被覆する位置に、電界を弱める層を設けたり、列電極の行電極の第２行電極部に対向する部分の面積を、この部分の列電極を屈曲させたり、また、この部分に突起を形成したりすることによって、行電極の第１行電極部に対向する部分の面積よりも大きくする構成がある。
【００３３】
何れも簡易な構成によって、アドレス放電の誤放電の発生を防止することが出来る。
【００３４】
上記実施形態のＰＤＰにおいて、列電極が列方向に並ぶ単位発光領域の一列毎に一対ずつ配置され、この一対の列電極のうち一方の列電極が、列方向に並ぶ単位発光領域のうちの奇数番目の表示ラインに位置する各単位発光領域に対向され、他方の列電極が偶数番目の表示ラインに位置する各単位発光領域に対向されるように構成しても良い。
【００３５】
このように、列方向に並ぶ単位発光領域の一列毎に列電極が一対ずつ配置されて、この一対の列電極が、それぞれ奇数番目の表示ラインに位置する単位発光領域と偶数番目の表示ラインに位置する単位発光領域に別個に対向されていることによって、奇数行目の表示ラインと偶数行目の表示ラインの二行の表示ラインに対する駆動制御を別個に行うことが可能になり、この奇数行目と偶数行目の二行の表示ラインに対する駆動制御を同時に行うことによって、ＰＤＰ駆動時のアドレス放電期間における発光セル選択のためのスキャン時間を短縮することが出来、このアドレス放電期間が短縮された分の時間だけ、例えば、サステイン放電時間を延長して表示画像の高輝度化を図ったり、または、リセット放電期間を延長して表示画像の黒輝度の低減化を図ったりすることが可能になって、パネルの画像表示性能の改良を図ることが出来るようになる。
【００３６】
この発明によるＰＤＰの駆動方法は、上記実施形態のＰＤＰにおいて、リセット放電の終了後、各行電極にスキャン・パルスが順次印加され、奇数行目と偶数行目の行電極対のうちの一方の行電極対で、スキャン・パルスが印加された行電極の第２行電極部とスキャン・パルスとは逆の電位のデータ・パルスが選択的に印加された列電極との間でアドレス放電が発生され、他方の行電極対で、この行電極対を構成する第１行電極部と第２行電極部に互いに逆の電位の電圧パルスが印加されて、この他方の行電極対の第１行電極部と第２行電極部の間で単位発光領域内の第１行電極部に対向する部分と第２行電極部に対向する部分の誘電体層に形成されている壁電荷の極性をそれぞれ反転させる極性反転放電が発生され、この後、スキャン・パルスが印加された行電極の第２行電極部とスキャン・パルスとは逆の電位のデータ・パルスが選択的に印加された列電極との間でアドレス放電が発生されるＰＤＰの駆動方法をその最良の実施形態としている。
【００３７】
この実施形態によるＰＤＰの駆動方法によれば、隣接する表示ライン間において背中合わせに位置する第１行電極部と第２行電極部が互いに一体的に形成されているＰＤＰの各行電極にリセット・パルスが印加されて、各行電極対にリセット放電が発生された際に、列方向において隣接する単位発光領域において第１行電極部と第２行電極部に対向する部分の誘電体層に形成される壁電荷の極性が互いに逆になるが、奇数行目と偶数行目の行電極対のうちの何れかの行電極対を構成する第１行電極部と第２行電極部との間で極性反転放電が発生されて、単位発光領域内の第１行電極部に対向する部分と第２行電極部に対向する部分の誘電体層に形成されている壁電荷の極性がそれぞれ反転されて、誘電体層に形成される壁電荷の極性が列方向において隣接する単位発光領域間で揃えられるので、プログレッシブ走査駆動が可能となり、画面のちらつきが防止されるとともに輝度の向上が図られて、画面の高精細化が可能になる。
【００３８】
さらに、上記実施形態によるＰＤＰの駆動方法において、行電極に印加される電圧パルスの電圧値のそれぞれの絶対値を、隣接する他の行電極対において放電を発生させる電圧値の絶対値よりも小さい値に設定することによって、極性反転放電が、誘電体層に形成された壁電荷の極性を反転させる単位発光領域のみにおいて発生され、この単位発光領域の列方向において両側に位置する他の単位発光領域で誤放電が発生するのが防止される。
【００３９】
また、この発明によるＰＤＰは、一対の基板の一方の基板に設けられた複数の行電極のうち、列方向において奇数番目に位置する行電極の列方向の両方の側が第１行電極部を構成し、偶数番目に位置する行電極の列方向の両方の側が第２行電極部を構成し、互いに隣接する奇数番目と偶数番目の行電極のそれぞれに構成された第１行電極部と第２行電極部とが放電ギャップを介して対向されて、それぞれ表示ラインを形成する行電極対を構成し、列電極が列方向に並ぶ単位発光領域の一列毎に一対ずつ配置され、この一対の列電極のうち一方の列電極が、列方向に並ぶ単位発光領域のうちの奇数番目の表示ラインに位置する各単位発光領域のみに対向され、他方の列電極が偶数番目の表示ラインに位置する各単位発光領域のみに対向されているＰＤＰをその最良の実施形態の一つとしている。
【００４０】
この実施形態のＰＤＰによれば、隣接する奇数行表示ラインと偶数行表示ライン間において、背中合わせに位置する第１行電極部と第２行電極部がそれぞれ一体に形成されてバス電極を共有していることによって、表示ライン間に形成される非表示領域が従来のＰＤＰと比較して非常に小さくなるので、画面の高精細化によりパネル面における放電セルの数が増加する場合でも、放電セル一個当たりの面積を従来のＰＤＰに比べて大きくすることが出来るので、高精細パネルにおいても充分な輝度を確保することが出来る。
【００４１】
さらに、この実施形態のＰＤＰによれば、一列の単位発光領域に対する列電極がそれぞれ二本の列電極によって構成されていることにより、それぞれ、この二本の列電極によって、奇数行目と偶数行目の表示ラインの二行の表示ラインに対する駆動制御を別個に行うことが可能になり、この二行の表示ラインに対する駆動制御を同時に行うことによって、アドレス放電期間における発光セル選択のためのスキャン時間を短縮することが出来、これによって、例えば、サステイン放電時間を延長して表示画像の高輝度化を図ったり、または、リセット放電期間を延長して表示画像の黒輝度の低減化を図ったりすることが可能になって、パネルの画像表示性能の改良を図ることが出来るようになる。
【００４２】
さらに、この実施形態のＰＤＰによれば、第１行電極部と第２行電極部が別体に構成されて、列電極との間でアドレス放電を発生させる側の行電極部のみにスキャン・パルスを印加するようにすることが出来るので、第１行電極部と第２行電極部が一体に構成される場合と比較して、誘電体層の壁電荷の極性を反転させる等の必要がなく、これによって、ＰＤＰの駆動を簡易に行うことが出来る。
【実施例１】
【００４３】
図４および５は、この発明によるＰＤＰの実施形態における第１の実施例を示しており、図４はこの第１実施例のＰＤＰの一部を模式的に示す正面図であり、図５は図４のＶ１−Ｖ１線における断面図である。
【００４４】
この図４および５において、この第１実施例のＰＤＰは、表示面である前面ガラス基板１０の背面に、ＩＴＯ等の透明導電膜によって形成されて行方向（図４において左右方向）に延びる帯状の透明電極Ｋａが、列方向（図４において上下方向）に所要の大きさの間隔を開けて、等間隔に並設されている。
【００４５】
この透明電極Ｋａは、列方向に所要の幅を有している。
【００４６】
この各透明電極Ｋａの背面の列方向における中央位置には、行方向に延びる帯状の金属膜からなるバス電極Ｋｂが形成されて、それぞれ透明電極Ｋａに接続されている。
【００４７】
このバス電極Ｋｂの列方向の幅は、透明電極Ｋａの列方向の幅の数分の一の大きさに設定されている。
【００４８】
前面ガラス基板１０の背面には、さらに、透明な誘電材料によって誘電体層１１が形成されて、この誘電体層１１によって、透明電極Ｋａおよびバス電極Ｋｂが被覆されている。
【００４９】
この透明電極Ｋａは、バス電極Ｋｂに接続されている中央部部分から列方向において下側部分がバス電極Ｋｂとともに行電極Ｘ１を構成し、バス電極Ｋｂに接続されている中央部部分から列方向において上側部分がバス電極Ｋｂとともに行電極Ｙ１を構成している。
【００５０】
そして、列方向において互いに隣接する透明電極Ｋａの間に形成された隙間が放電ギャップｇ１を構成し、この放電ギャップｇ１を介して互いに対向する行電極Ｘ１とＹ１が対になって、行電極対（Ｘ１，Ｙ１）を構成している。
【００５１】
この各行電極対（Ｘ１，Ｙ１）によって、それぞれ表示ラインＬ１が形成される。
【００５２】
誘電体層１１の背面のバス電極Ｋｂに対向する位置には、誘電体層２から背面側に突出するとともに、バス電極Ｋｂと平行に行方向に延びる嵩上げ誘電体層１２が形成されている。
【００５３】
そして、誘電体層１１および嵩上げ誘電体層１２の背面側には、ＭｇＯ等の高γ誘電体によって図示しない保護層が形成されて、この保護層により誘電体層１１および嵩上げ誘電体層１２の表面が被覆されている。
【００５４】
一方、前面ガラス基板１０と放電空間を介して対向する背面ガラス基板１３の前面ガラス基板１０と対向する側の面上には、列方向に帯状に延びる複数の列電極Ｄ１が、互いに所要の間隔を開けて行方向に等間隔に並設されている。
【００５５】
そして、背面ガラス基板１３の前面ガラス基板１０と対向する側の面上には、さらに、所要の厚さの列電極保護層（誘電体層）１４が形成されて、この列電極保護層１４によって各列電極Ｄ１が被覆されている。
【００５６】
この列電極保護層１４上には、下記のような構成の隔壁１５が、電極によって形成される電界を遮蔽する非誘電材料によって形成されている。
【００５７】
すなわち、隔壁１５は、列電極保護層１４上に背面ガラス基板１３と平行に形成された板状の隔壁底板１５Ａと、この隔壁底板１５Ａ上に一体的に形成されて、バス電極Ｋｂに対向する位置においてバス電極Ｋｂと平行に行方向に延びる横壁１５Ｂ、および、互いに隣接する列電極Ｄ１の間の中央位置に対向する位置においてそれぞれ列電極Ｄ１と平行に列方向に延びる縦壁１５Ｃとによって構成されている。
【００５８】
そして、この隔壁１５の隔壁底板１５Ａには、互いに隣接する縦壁１５Ｃの間の位置において、透明電極Ｋａの行電極Ｙ１を構成する部分と列電極Ｄ１に挟まれて行電極Ｙ１と列電極Ｄ１の双方に対向する部分に、列電極Ｄ１の行方向の幅以上の大きさの行方向の幅を有する貫通口１５ｈが形成されている。
【００５９】
さらに、この隔壁１５の隔壁底板１５Ａの厚さは、列電極Ｄ１に後述するようにデータ・パルスが印加された際に、貫通口１５ｈ以外の部分において、列電極Ｄ１によって形成される電界が放電空間内に漏れ出るのを防止する大きさに設定されている。
【００６０】
この隔壁１５の横壁１５Ｂと縦壁１５Ｃによって、前面ガラス基板１０と背面ガラス基板１３の間の放電空間が略方形の放電セルＣ１毎に区画されて、この放電セルＣ１がパネル面にマトリクス状に配置されている。
【００６１】
この各放電セルＣ１内の隔壁１５の隔壁底板１５Ａ上および横壁１５Ｂ、縦壁１５Ｃの各側面の五つの面に、赤，緑，青の蛍光体層１６が形成されて、この蛍光体層１６によって色分けされた放電セルＣ１が、行方向に赤，緑，青の順に並ぶように配置されている。
【００６２】
次に、図６に示されるパルス出力タイミングチャートに基づいて、上記構成のＰＤＰの駆動方法について説明を行う。
【００６３】
このＰＤＰの駆動は、順次走査（プログレッシブ）駆動によって行われ、さらに、１フィールドの表示期間をＮビットの表示データに対応した個数のサブフィールドに分割して発光を行わせる、いわゆる、サブフイールド法によって行われる。
【００６４】
そして、図６は、このサブフイールド法において、１フィールドの表示期間が複数個のサブフィールドに分割された際の、一つのサブフィールドのパルス出力タイミングチャートを示しており、各サブフィールドは、それぞれ、リセット放電期間Ｒｃとアドレス放電期間Ｗｃ，サステイン放電期間Ｉｃから構成されている。
【００６５】
図６において、ＰＤＰの駆動は、先ず、最初のリセット放電期間Ｒｃに、隣接するバス電極Ｋｂに、互いに電位が逆のリセット・パルスＲＰａ，ＲＰｂが、一斉に印加される。
【００６６】
これによって、表示ラインＬ１を構成する各行電極対（Ｘ１，Ｙ１）において、放電ギャップｇ１を介して互いに対向している行電極Ｘ１とＹ１（透明電極Ｋａのそれぞれ行電極Ｘ１を構成している部分と行電極Ｙ１を構成している部分）が互いに逆の電位を有するようになることによって、全ての放電セルＣ１内において、行電極Ｘ１とＹ１との間で放電ギャップｇ１を介してリセット放電が発生される。
【００６７】
例えば、図示のように、奇数行目のバス電極Ｋｂにマイナスのリセット・パルスＲＰａが印加され、偶数行目のバス電極Ｋｂにプラスのリセット・パルスＲＰｂが印加されると、奇数行目の表示ラインＬ１ｏを構成する行電極対（Ｘ１，Ｙ１）においては、行電極Ｘ１がマイナスの電位を有し行電極Ｙ１がプラスの電位を有するようになり、偶数行目の表示ラインＬ１ｅを構成する行電極対（Ｘ１，Ｙ１）においては、行電極Ｘ１がプラスの電位を有し行電極Ｙ１がマイナスの電位を有するようになって、全ての放電セルＣ１内において、行電極Ｘ１とＹ１との間で放電ギャップｇ１を介してリセット放電が発生される。
【００６８】
そして、このリセット放電によって、各放電セルＣ１に対向している誘電体層１１の部分の全てに壁電荷が形成される。
【００６９】
例えば、上記の例においては、図６の図中に表示されているように、奇数行目の表示ラインＬ１ｏに沿って配列されている放電セルＣ１に対向する部分の誘電体層１１には、行電極Ｘ１に対向する側の部分にプラス極性の壁電荷が形成され、行電極Ｙ１に対向する側の部分にマイナス極性の壁電荷が形成される。
【００７０】
次に、アドレス放電期間Ｗｃにおいて、バス電極Ｋｂ2〜Nに対して、負電位のスキャン・パルスＳＰが順次印加されるとともに、各列電極Ｄ１に対して、映像信号の表示データに対応したデータ・パルスＤＰが選択的に印加されて、スキャン・パルスＳＰが印加されているバス電極Ｋｂ2〜N を含む行電極Ｙ１とデータ・パルスＤＰが印加された列電極Ｄ１との間で、放電セルＣ１内で選択的にアドレス放電が発生される。
【００７１】
なお、一行目のバス電極Ｋｂ1 には、このバス電極Ｋｂ1 がアドレス放電に関与しない行電極Ｘ１のみを構成しているので、スキャン・パルスは印加されない。
【００７２】
このとき、奇数行目の表示ラインＬ１ｏに沿って配列されている放電セルＣ１に対向する部分の誘電体層１１には、前述したように、リセット放電によって、行電極Ｘ１に対向する側の部分にプラス極性の壁電荷が形成され、行電極Ｙ１に対向する側の部分にマイナス極性の壁電荷が形成されている。
【００７３】
従って、列電極Ｄ１に放電セルＣ１を選択するための正電位のデータ・パルスＤＰが印加されると、このデータ・パルスＤＰが印加された列電極Ｄ１と、奇数行目の表示ラインＬ１ｏを構成する行電極対（Ｘ１，Ｙ１）のスキャン・パルスＳＰが印加されている行電極Ｙ１との間でアドレス放電が発生して、誘電体層１１の行電極Ｙ１に対向する側の部分の壁電荷は、消去されてゼロ極性にされるか、または、プラス極性に変換される。
【００７４】
図６中、壁電荷ＳＣは、選択された放電セルＣ１においてはゼロまたはプラス極性を示し、選択されない放電セルＣ１においてはマイナス極性を示している。
【００７５】
偶数行目の表示ラインＬ１ｅに沿って配列されている放電セルＣ１に対向する部分の誘電体層１１には、前述したように、リセット放電によって、行電極Ｘ１に対向する側の部分にマイナス極性の壁電荷が形成され、行電極Ｙ１に対向する側の部分にプラス極性の壁電荷が形成されており、奇数行目の表示ラインＬ１ｏに沿って配列されている放電セルＣ１の壁電荷と逆の極性になっている。
【００７６】
このため、偶数番目のバス電極Ｋｂ2,4… には、スキャン・パルスＳＰが印加された直後に負電圧パルスＶＰｅが印加され、奇数番目のバス電極Ｋｂ3、5… には、スキャン・パルスＳＰが印加される直前に正電圧パルスＶＰｏが印加される。
【００７７】
そして、この負電圧パルスＶＰｅと正電圧パルスＶＰｏの印加は、隣接するバス電極Ｋｂ間において同じタイミングで行われ、偶数行目の行電極対（Ｘ１，Ｙ１）を構成している行電極Ｘ１とＹ１の間で、放電ギャップｇ１を介して放電（この放電を極性反転放電と呼ぶ）が発生される。
【００７８】
この極性反転放電によって、偶数行目の表示ラインＬ１ｅに沿って配列されている放電セルＣ１に対向する部分の誘電体層１１の壁電荷の極性が反転して、奇数行目の表示ラインＬ１ｏに沿って配列されている放電セルＣ１の壁電荷と同じ極性（行電極Ｘ１に対向する側の部分の壁電荷がプラス極性、行電極Ｙ１に対向する側の部分の壁電荷がマイナス極性）となる。
【００７９】
この負電圧パルスＶＰｅの電圧値と正電圧パルスＶＰｏの電圧値は、それぞれ、偶数行目の表示ラインＬ１ｅに沿った放電セルＣ１でのみ極性反転放電が発生され、隣接する両側の奇数行目の表示ラインＬ１ｏに沿った放電セルＣ１で放電を発生させない値に設定されている。
【００８０】
すなわち、負電圧パルスＶＰｅの電圧値と正電圧パルスＶＰｏの電圧値は、ＶＰｏ−ＶＰｅが放電開始電圧よりも大きく、かつ、ＶＰｅとＶＰｏのそれぞれが単独では放電開始電圧に達しない条件、すなわち、
ＶＰｏ−ＶＰｅ＞（放電開始電圧）＞｜ＶＰｅ｜，｜ＶＰｏ｜
の条件を満足する値に設定されている。
【００８１】
この極性反転放電の発生の後（奇数番目のバス電極Ｋｂ3、5… に正電圧パルスＶＰｏが印加された後）、奇数番目のバス電極Ｋｂ3、5… にスキャン・パルスＳＰが印加されると、データ・パルスＤＰが印加された列電極Ｄ１と交差する部分の放電セルＣ１内において、列電極Ｄ１と偶数行目の表示ラインＬ１ｅを構成する行電極対（Ｘ１，Ｙ１）の行電極Ｙ１との間でアドレス放電が発生して、誘電体層１１の行電極Ｙ１に対向する側の部分の壁電荷は、消去されてゼロ極性になるか、プラス極性に変換される。
【００８２】
以上のようにして、各奇数行目の表示ラインＬ１ｏに沿った放電セルＣ１および偶数行目の表示ラインＬ１ｅに沿った放電セルＣ１内において、それぞれ、選択的にアドレス放電が行われて、発光セル（行電極Ｙ１に対向する部分のマイナス極性の壁電荷が消去された放電セルＣ１）と非発光セル（行電極Ｙ１に対向する部分の壁電荷がマイナス極性のままの放電セルＣ１）とが画像データに基づいてパネル面に分布される。
【００８３】
このアドレス放電期間Ｗｃの終了後、次のサステイン放電期間Ｉｃにおいて、奇数番目のバス電極Ｋｂ1,3、5…と偶数番目のバス電極Ｋｂ2,4… に交互に正電位のサステイン・パルスＩＰが交互に印加される。
【００８４】
そして、このサステイン・パルスが印加される毎に、発光セル内においてサステイン放電が繰り返し発生されて、放電ガス中のキセノンから発生する真空紫外線により各放電セルＣ１の赤，緑，青の蛍光体層１６が励起されて可視光が発生されることにより、マトリクス表示による画像が形成される。
【００８５】
上記ＰＤＰは、その駆動時において、アドレス放電期間Ｗｃにおけるアドレス放電が、隔壁１５の隔壁底板１５Ａの行電極Ｙ１に対向する位置に形成された貫通口１５ｈを介して行われる。
【００８６】
このとき、列電極Ｄ１の貫通口１５ｈに対向している部分と行電極Ｘ１との間の距離ｄｘが、行電極Ｙ１との間の距離ｄｙよりも大きくなっていることによって、行電極Ｘ１と列電極Ｄ１間において放電が発生される場合の放電開始電圧が、行電極Ｙ１と列電極Ｄ１間のアドレス放電の放電開始電圧よりも大きくなるため、放電が行電極Ｘ１と列電極Ｄ１との間で発生する前に、行電極Ｙ１と列電極Ｄ１との間で放電が開始される。
【００８７】
従って、上記ＰＤＰのように、列方向において隣接する表示ラインＬ１間において背中合わせに位置する行電極Ｘ１とＹ１がバス電極Ｋｂを共有している場合でも、バス電極Ｋｂにスキャン・パルスが印加された際に、透明電極Ｋａの行電極Ｙ１を構成する側でのみ列電極Ｄ１との間でアドレス放電が発生され、他方の行電極Ｘ１を構成する側において列電極Ｄ１との間で誤放電が発生する虞は無い。
【００８８】
以上のように、上記構成のＰＤＰおよびこのＰＤＰの駆動方法によれば、隣接する表示ラインＬ１間において、背中合わせに位置する行電極Ｘ１とＹ１がバス電極Ｋｂを共有している場合でも、アドレス放電の際の誤放電の発生が防止されるので、プログレッシブ走査駆動が可能となり、画面のちらつきが防止されるとともに、輝度の向上が図られる。
【００８９】
そして、上記ＰＤＰは、隣接する表示ラインＬ１間において背中合わせに位置する行電極Ｘ１とＹ１がバス電極Ｋｂを共有していることによって、表示ラインＬ１間に形成される非表示領域が従来のＰＤＰと比較して非常に小さくなるので、画面の高精細化によりパネル面における放電セルの数が増加する場合でも、放電セル一個当たりの面積を従来のＰＤＰに比べて大きくすることが出来るので、高精細パネルにおいても充分な輝度を確保することが出来るようになる。
【００９０】
図７は、上記構成のＰＤＰと従来の構成のＰＤＰの放電セル一個当たりの面積を、フルＨＤ（１９２０×１０８０）の５０インチと２６インチのＰＤＰにおいて比較した図である。
【００９１】
図７中、ＣＡ５０が上記構成による５０インチのＰＤＰにおける一個の放電セルの開口面積の大きさを示し、ＣＢ５０が従来の５０インチのＰＤＰにおける一個の放電セルの開口面積の大きさを示し、ＣＡ２６が上記構成による２６インチのＰＤＰにおける一個の放電セルの開口面積の大きさを示し、ＣＢ２６が従来の２６インチのＰＤＰにおける一個の放電セルの開口面積の大きさを示している。
【００９２】
この図７において、５０インチのＰＤＰにおいて、従来は３００×１４０（μｍ2）の開口面積であったのに対し、上記構成のＰＤＰでは、４５０×１４０（μｍ2）の開口面積が確保され、２６インチのＰＤＰにおいて、従来は５０×４５（μｍ2）の開口面積であったのに対し、上記構成のＰＤＰでは、１８０×４５（μｍ2）の開口面積が確保されることが分かる。
【００９３】
なお、上記においては、隔壁１５の隔壁底板１５Ａと横壁１５Ｂおよび縦壁１５Ｃが一体的に形成されている例が示されているが、この隔壁の隔壁底板と横壁および縦壁とは、別体に形成されていても良い。
【実施例２】
【００９４】
図８および９は、この発明によるＰＤＰの実施形態における第２の実施例を示しており、図８はこの第２実施例のＰＤＰの一部を模式的に示す正面図であり、図９は図８のＶ２−Ｖ２線における断面図である。
【００９５】
この第２実施例のＰＤＰの表示面である前面ガラス基板１０側の構成は、前述した第１実施例のＰＤＰと同様であり、図８および９において同一の構成部分については図４および５と同一の符号が付されている。
【００９６】
この前面ガラス基板１０と放電空間を介して対向する背面ガラス基板１３の前面ガラス基板１０と対向する側の面上には、列方向に帯状に延びる下記のような形状の複数の列電極Ｄ２が、互いに所要の間隔を開けて行方向に等間隔に並設されている。
【００９７】
すなわち、列電極Ｄ２は、各透明電極Ｋａの行電極Ｙ１を構成する部分とバス電極Ｋｂに対向する部分においてくの字状に屈曲して行方向の一方向（この例では、図８において右方向）に張り出すように成形された張出部Ｄ２ａと、各透明電極Ｋａの行電極Ｘ１を構成する部分と放電ギャップｇ１に対向する部分において列方向に直線状に延びる直線部Ｄ２ｂとによって構成されている。
【００９８】
従って、この列電極Ｄ２は、張出部Ｄ２ａと行電極Ｙ１との対向面積が、直線部Ｄ２ｂと行電極Ｘ1との対向面積よりも大きくなっている。
【００９９】
背面ガラス基板１３の前面ガラス基板１０と対向する側の面上には、さらに、所要の厚さの列電極保護層（誘電体層）２４が形成されて、この列電極保護層２４によって各列電極Ｄ２が被覆されている。
【０１００】
この列電極保護層２４上には、下記のような構成の隔壁２５が、非誘電材料によって形成されている。
【０１０１】
すなわち、隔壁２５は、各バス電極Ｋｂに対向する位置においてそれぞれバス電極Ｋｂと平行に行方向に延びる複数の横壁２５Ａと、各列電極Ｄ２の直線部Ｄ２ｂに対向する位置においてそれぞれ列電極Ｄ２の直線部Ｄ２ｂと平行に列方向に延びる複数の縦壁２５Ｂとによって略格子形状に成形されている。
【０１０２】
この隔壁２５の横壁２５Ａと縦壁２５Ｂによって、前面ガラス基板１０と背面ガラス基板１３の間の放電空間が略方形の放電セルＣ２毎に区画されて、この放電セルＣ２がパネル面にマトリクス状に配置されている。
【０１０３】
そして、前面ガラス基板１１側から見て、列電極Ｄ２の張出部Ｄ２ａが、縦壁２５Ｂと対向する位置から放電セルＣ２内に対向する位置に張り出した状態になっている。
【０１０４】
さらに、この各放電セルＣ２内の列電極保護層２４上および隔壁２５の横壁２５Ａ、縦壁２５Ｂの各側面の五つの面に、赤，緑，青の蛍光体層２６が形成されて、この蛍光体層２６によって色分けされた放電セルＣ２が、行方向に赤，緑，青の順に並ぶように配置されている。
【０１０５】
上記ＰＤＰの駆動は、第１実施例の場合と同様に、図６に示されるパルス出力タイミングチャートに基づいて行われ、最初のリセット放電期間Ｒｃに、全ての放電セルＣ２内において、行電極Ｘ１とＹ１との間で放電ギャップｇ１を介してリセット放電が発生される。
【０１０６】
そして、次のアドレス放電期間Ｗｃにおいて、奇数行目の表示ラインＬ１ｏに沿って配列されている放電セルＣ２においては、リセット放電によって誘電体層１１の行電極Ｘ１に対向する側の部分にプラス極性の壁電荷が形成され、行電極Ｙ１に対向する側の部分にマイナス極性の壁電荷が形成されていることによって、スキャン・パルスＳＰが印加されている行電極Ｙ１と正電位のデータ・パルスＤＰが印加された列電極Ｄ２との間でアドレス放電が発生される。
【０１０７】
さらに、偶数行目の表示ラインＬ１ｅに沿って配列されている放電セルＣ２においては、偶数番目のバス電極Ｋｂ2,4… へのスキャン・パルスＳＰの印加直後の負電圧パルスＶＰｅの印加と、奇数番目のバス電極Ｋｂ3、5… へのスキャン・パルスＳＰの印加直前の正電圧パルスＶＰｏの印加とによって極性反転放電が発生されて、誘電体層１１の壁電荷の極性が反転された後、スキャン・パルスＳＰが印加されている行電極Ｙ１と正電位のデータ・パルスＤＰが印加された列電極Ｄ２との間でアドレス放電が発生される。
【０１０８】
このアドレス放電期間Ｗｃにおいて、各バス電極Ｋｂにスキャン・パルスが印加され、列電極Ｄ２に選択的にデータ・パルスが印加された際に、バス電極Ｋｂの両側に構成されている行電極Ｘ１およびＹ１（隣接する行電極対（Ｘ１，Ｙ１）間において背中合わせに位置している行電極Ｘ１とＹ１）と、データ・パルスが印加されている列電極Ｄ２との間に、それぞれ同じ大きさの電位が形成される。
【０１０９】
このとき、行電極Ｙ１と列電極Ｄ２との対向面積が、列電極Ｄ２の張出部Ｄ２ａにより、行電極Ｘ１と列電極Ｄ２との対向面積よりも大きくなっていることによって、行電極Ｘ１と列電極Ｄ２の間で放電が発生する場合の放電開始電圧よりも、行電極Ｙ１と列電極Ｄ２の間で発生する放電の放電開始電圧が小さくなる。
【０１１０】
このため、アドレス放電は、行電極Ｙ１と列電極Ｄ２の張出部Ｄ２ａとの間で発生し、この行電極Ｙ１が対向する放電セルＣ２と列方向において隣接する他の放電セルＣ２内において行電極Ｘ１と列電極Ｄ２の直線部Ｄ２ｂとの間で発生することはない。
【０１１１】
以上のようにして、各奇数行目の表示ラインＬ１ｏに沿った放電セルＣ１および偶数行目の表示ラインＬ１ｅに沿った放電セルＣ２内において、それぞれ、選択的にアドレス放電が行われて、発光セル（行電極Ｙ１に対向する部分のマイナス極性の壁電荷が消去された放電セルＣ２）と非発光セル（行電極Ｙ１に対向する部分の壁電荷がマイナス極性のままの放電セルＣ２）とが画像データに基づいてパネル面に分布される。
【０１１２】
このアドレス放電期間Ｗｃの終了後、次のサステイン放電期間Ｉｃにおいて、奇数番目のバス電極Ｋｂ1,3、5…と偶数番目のバス電極Ｋｂ2,4… に交互に正電位のサステイン・パルスが交互に印加されて、発光セル内においてサステイン放電が繰り返し発生され、放電ガス中のキセノンから発生する真空紫外線により各放電セルＣ２の赤，緑，青の蛍光体層１６が励起されて可視光が発生されることによって、マトリクス表示による画像が形成される。
【０１１３】
以上のように、上記構成のＰＤＰおよびこのＰＤＰの駆動方法によれば、隣接する表示ラインＬ１間において、背中合わせに位置する行電極Ｘ１とＹ１がバス電極Ｋｂを共有している場合でも、アドレス放電の際の誤放電の発生が防止されるので、プログレッシブ走査駆動が可能となり、画面のちらつきが防止されるとともに、輝度の向上が図られる。
【０１１４】
そして、上記ＰＤＰは、隣接する表示ラインＬ１間において背中合わせに位置する行電極Ｘ１とＹ１がバス電極Ｋｂを共有していることによって、表示ラインＬ１間に形成される非表示領域が従来のＰＤＰと比較して非常に小さくなるので、画面の高精細化によりパネル面における放電セルの数が増加する場合でも、例えば図７に示されるように、放電セル一個当たりの面積を従来のＰＤＰに比べて大きくすることが出来るので、高精細パネルにおいても充分な輝度を確保することが出来るようになる。
【０１１５】
図１０は、この第２実施例のＰＤＰの変形例を示している。
【０１１６】
すなわち、上記の図８の例では列電極Ｄ２の張出部Ｄ２ａがくの字状に屈曲した形状に成形されていたのに対し、図１０のＰＤＰは、列方向に帯状に延びる列電極Ｄ３の行電極Ｙ１と対向する部分Ｄ３ａが、直線部Ｄ３ｂから行方向の一方の側（図の例では右側）に張り出して、この張出部分Ｄ３ａが放電セルＣ２に対向されるとともに、行電極Ｙ１との対向面積が拡大されている。
【０１１７】
この列電極Ｄ３の張出部分Ｄ３ａは、図示の例では三角形状に成形されているが、半円形状や方形形状等の種々の形状に成形することが可能である。
【０１１８】
他の部分の構成は図８および９のＰＤＰと同様であり、図１０において図８と同一の構成部分については、同一の符号が付されている。
【実施例３】
【０１１９】
図１１および１２は、この発明によるＰＤＰの実施形態における第３実施例を示しており、図１１はこの第３実施例のＰＤＰの一部を模式的に示す正面図であり、図１２は図１１のＶ３−Ｖ３線における断面図である。
【０１２０】
この第３実施例のＰＤＰの表示面である前面ガラス基板１０側の構成は、前述した第１実施例のＰＤＰと同様であり、図１１および１２において同一の構成部分については図４および５と同一の符号が付されている。
【０１２１】
この前面ガラス基板１０と放電空間を介して対向する背面ガラス基板１３の前面ガラス基板１０と対向する側の面上には、列方向に延びる複数の列電極が形成されている。
【０１２２】
そして、各列電極は、それぞれ、奇数ライン列電極Ｄ３Ａと偶数ライン列電極Ｄ３Ｂの二本の列電極から構成され、この奇数ライン列電極Ｄ３Ａと偶数ライン列電極Ｄ３Ｂとが互いに行方向に所要の間隔を開けて等間隔に交互に配置されている。
【０１２３】
この奇数ライン列電極Ｄ３Ａと偶数ライン列電極Ｄ３Ｂの形状および形成位置については、後で詳述する。
【０１２４】
背面ガラス基板１３の前面ガラス基板１０と対向する側の面上には、さらに、所要の厚さの列電極保護層（誘電体層）３４が形成されて、この列電極保護層３４によって各列電極（奇数ライン列電極Ｄ３Ａおよび偶数ライン列電極Ｄ３Ｂ）が被覆されている。
【０１２５】
この列電極保護層３４上には、第２実施例の場合と同様の構成の隔壁２５が、非誘電材料によって形成されている。
【０１２６】
すなわち、隔壁２５は、各バス電極Ｋｂに対向する位置においてそれぞれバス電極Ｋｂと平行に行方向に延びる複数の横壁２５Ａと、列方向に延びるとともに行方向に所要の間隔を開けて等間隔に配置された複数の縦壁２５Ｂとによって、略格子形状に成形されている。
【０１２７】
そして、この隔壁２５の横壁２５Ａと縦壁２５Ｂによって、前面ガラス基板１０と背面ガラス基板１３の間の放電空間が放電ギャップｇ１に対向する略方形の放電セルＣ２毎に区画されて、この放電セルＣ２がパネル面にマトリクス状に配置されている。
【０１２８】
さらに、この各放電セルＣ２内の列電極保護層３４上および隔壁２５の横壁２５Ａ、縦壁２５Ｂの各側面の五つの面に、赤，緑，青の蛍光体層２６が形成されて、この蛍光体層２６によって色分けされた放電セルＣ２が、行方向に赤，緑，青の順に並ぶように配置されている。
【０１２９】
前述した列電極の奇数ライン列電極Ｄ３Ａは、放電セルＣ２に対向する位置において列方向に直線状に延びる第１本体部Ｄ３Ａ１と、この第１本体部Ｄ３Ａ１が対向する放電セルＣ２に列方向に隣接す放電セルＣ２の前面ガラス基板１０側から見て左側に位置する隔壁２５の縦壁２５Ｂに対向する位置において列方向に直線状に延びる第２本体部Ｄ３Ａ２と、それぞれバス電極Ｋｂに対向する位置において列方向に対して斜行する方向に延びて第１本体部Ｄ３Ａ１と第２本体部Ｄ３Ａ２の端部を互いに連結する連結部Ｄ３Ａ３，Ｄ３Ａ４とによって、第１本体部Ｄ３Ａ１と第２本体部Ｄ３Ａ２が列方向に沿ってジグザグに位置する蛇行形状を構成するように成形されている。
【０１３０】
そして、この奇数ライン列電極Ｄ３Ａの各第１本体部Ｄ３Ａ１には、透明電極Ｋａの行電極Ｙ１を構成する部分に対向する部分に、この第１本体部Ｄ３Ａ１の他の部分よりも行方向の幅が広い拡幅部Ｄ３Ａ１ａが形成されている。
【０１３１】
列電極の偶数ライン列電極Ｄ３Ｂも、奇数ライン列電極Ｄ３Ａと同様に、放電セルＣ２に対向する位置において列方向に直線状に延びる第１本体部Ｄ３Ｂ１と、この第１本体部Ｄ３Ｂ１が対向する放電セルＣ２に列方向に隣接する放電セルＣ２の前面ガラス基板１０側から見て左側に位置する隔壁２５の縦壁２５Ｂに対向する位置において列方向に直線状に延びる第２本体部Ｄ３Ｂ２と、それぞれバス電極Ｋｂに対向する位置において列方向に対して斜行する方向に延びて第１本体部Ｄ３Ｂ１と第２本体部Ｄ３Ｂ２の端部を互いに連結する連結部Ｄ３Ｂ３，Ｄ３Ｂ４とによって、第１本体部Ｄ３Ｂ１と第２本体部Ｄ３Ｂ２が列方向に沿ってジグザグに位置する蛇行形状を構成するように成形されており、各第１本体部Ｄ３Ｂ１の透明電極Ｋａの行電極Ｙ１を構成する部分に対向する部分に、この第１本体部Ｄ３Ｂ１の他の部分よりも行方向の幅が広い拡幅部Ｄ３Ｂ１ａが形成されている。
【０１３２】
そして、この奇数ライン列電極Ｄ３Ａと偶数ライン列電極Ｄ３Ｂは、行方向において、奇数ライン列電極Ｄ３Ａの第１本体部Ｄ３Ａ１と偶数ライン列電極Ｄ３Ｂの第２本体部Ｄ３Ｂ２が並行し、第２本体部Ｄ３Ａ２と第１本体部Ｄ３Ｂ１が並行した状態で互いに等間隔に配置されて、列方向に並ぶ放電セルＣ２に、隣接する奇数ライン列電極Ｄ３Ａの第１本体部Ｄ３Ａ１と偶数ライン列電極Ｄ３Ｂの第１本体部Ｄ３Ｂ１が交互に対向されている。
【０１３３】
すなわち、このＰＤＰは、一列の放電セルＣ２に対する列電極が、それぞれ、奇数ライン列電極Ｄ３Ａと偶数ライン列電極Ｄ３Ｂの二本の列電極によって構成され、奇数ライン列電極Ｄ３Ａの第１本体部Ｄ３Ａ１が対向されて行方向に並ぶ放電セルＣ２によって、奇数行目の表示ラインＬ１ｏが構成され、偶数ライン列電極Ｄ３Ｂの第１本体部Ｄ３Ｂ１が対向されて行方向に並ぶ放電セルＣ２によって、偶数行目の表示ラインＬ１ｅが構成されている。
【０１３４】
上記ＰＤＰの駆動は、第１実施例の場合と同様に、図６と同様のパルス出力タイミングチャートに基づいて行われる。
【０１３５】
すなわち、図６において、最初のリセット放電期間Ｒｃに、全ての放電セルＣ２内において、行電極Ｘ１とＹ１との間で放電ギャップｇ１を介してリセット放電が発生される。
【０１３６】
そして、次のアドレス放電期間Ｗｃにおいて、奇数行目の表示ラインＬ１ｏに沿って配列されている放電セルＣ２においては、リセット放電によって誘電体層１１の行電極Ｘ１に対向する側の部分にプラス極性の壁電荷が形成され、行電極Ｙ１に対向する側の部分にマイナス極性の壁電荷が形成されていることによって、スキャン・パルスＳＰが印加されている行電極Ｙ１と正電位のデータ・パルスＤＰが印加された奇数ライン列電極Ｄ３Ａの第１本体部Ｄ３Ａ１との間でアドレス放電が発生される。
【０１３７】
さらに、偶数行目の表示ラインＬ１ｅに沿って配列されている放電セルＣ２においては、偶数番目のバス電極Ｋｂ2,4… へのスキャン・パルスＳＰの印加直後の負電圧パルスＶＰｅの印加と、奇数番目のバス電極Ｋｂ3、5… へのスキャン・パルスＳＰの印加直前の正電圧パルスＶＰｏの印加とによって極性反転放電が発生されて、誘電体層１１の壁電荷の極性が反転された後、スキャン・パルスＳＰが印加されている行電極Ｙ１と正電位のデータ・パルスＤＰが印加された偶数ライン列電極Ｄ３Ｂの第１本体部Ｄ３Ｂ１との間でアドレス放電が発生される。
【０１３８】
このアドレス放電期間Ｗｃにおいて、各バス電極Ｋｂにスキャン・パルスが印加され、奇数ライン列電極Ｄ３Ａと偶数ライン列電極Ｄ３Ｂに選択的にデータ・パルスが印加された際に、バス電極Ｋｂの両側に構成されている行電極Ｘ１およびＹ１（隣接する行電極対（Ｘ１，Ｙ１）間において背中合わせに位置している行電極Ｘ１とＹ１）と、データ・パルスが印加されている奇数ライン列電極Ｄ３Ａまたは偶数ライン列電極Ｄ３Ｂとの間に、それぞれ同じ大きさの電位が形成される。
【０１３９】
このとき、行電極Ｙ１と奇数ライン列電極Ｄ３Ａの第１本体部Ｄ３Ａ１、または、偶数ライン列電極Ｄ３Ｂの第１本体部Ｄ３Ｂ１との対向面積が、それぞれ、第１本体部Ｄ３Ａ１，Ｄ３Ｂ１に形成拡幅部Ｄ３Ａ１ａ，Ｄ３Ｂ１ａが形成されていることにより、行電極Ｘ１と奇数ライン列電極Ｄ３Ａまたは偶数ライン列電極Ｄ３Ｂとの対向面積よりも大きくなっていることによって、奇数ライン列電極Ｄ３Ａまたは偶数ライン列電極Ｄ３Ｂと行電極Ｘ１との間で放電が発生する場合の放電開始電圧よりも、行電極Ｙ１との間で発生する放電の放電開始電圧が小さくなる。
【０１４０】
このため、アドレス放電は、行電極Ｙ１と奇数ライン列電極Ｄ３Ａの第１本体部Ｄ３Ａ１の拡幅部Ｄ３Ａ１ａ、または、偶数ライン列電極Ｄ３Ｂの第１本体部Ｄ３Ｂ１の拡幅部Ｄ３Ｂ１ａとの間で発生し、この行電極Ｙ１が対向する放電セルＣ２と列方向において隣接する他の放電セルＣ２内において行電極Ｘ１との間で発生することはない。
【０１４１】
以上のようにして、各奇数行目の表示ラインＬ１ｏに沿った放電セルＣ１および偶数行目の表示ラインＬ１ｅに沿った放電セルＣ２内において、それぞれ、選択的にアドレス放電が行われて、発光セル（行電極Ｙ１に対向する部分のマイナス極性の壁電荷が消去された放電セルＣ２）と非発光セル（行電極Ｙ１に対向する部分の壁電荷がマイナス極性のままの放電セルＣ２）とが画像データに基づいてパネル面に分布される。
【０１４２】
このアドレス放電期間Ｗｃの終了後、次のサステイン放電期間Ｉｃにおいて、奇数番目のバス電極Ｋｂ1,3、5…と偶数番目のバス電極Ｋｂ2,4… に交互に正電位のサステイン・パルスが交互に印加されて、発光セル内においてサステイン放電が繰り返し発生され、放電ガス中のキセノンから発生する真空紫外線により各放電セルＣ２の赤，緑，青の蛍光体層１６が励起されて可視光が発生されることによって、マトリクス表示による画像が形成される。
【０１４３】
以上のように、上記構成のＰＤＰおよびこのＰＤＰの駆動方法によれば、隣接する奇数行表示ラインＬ１ｏと偶数行表示ラインＬ１ｅ間において、背中合わせに位置する行電極Ｘ１とＹ１がバス電極Ｋｂを共有している場合でも、アドレス放電の際の誤放電の発生が防止されるので、プログレッシブ走査駆動が可能となり、画面のちらつきが防止されるとともに、輝度の向上が図られる。
【０１４４】
そして、上記ＰＤＰは、隣接する奇数行表示ラインＬ１ｏと偶数行表示ラインＬ１ｅ間において背中合わせに位置する行電極Ｘ１とＹ１がバス電極Ｋｂを共有していることによって、表示ライン間に形成される非表示領域が従来のＰＤＰと比較して非常に小さくなるので、画面の高精細化によりパネル面における放電セルの数が増加する場合でも、放電セル一個当たりの面積を従来のＰＤＰに比べて大きくすることが出来るので、高精細パネルにおいても充分な輝度を確保することが出来るようになる。
【０１４５】
そして、上記ＰＤＰの構成によれば、一列の放電セルＣ２に対する列電極が奇数ライン列電極Ｄ３Ａと偶数ライン列電極Ｄ３Ｂの二本の列電極によって構成されていることにより、この二本の奇数ライン列電極Ｄ３Ａと偶数ライン列電極Ｄ３Ｂによって、奇数行目の表示ラインＬ１ｏと偶数行目の表示ラインＬ１ｅの二行の表示ラインに対する駆動制御を別個に行うことが可能になる。
【０１４６】
従って、奇数行目の表示ラインＬ１ｏと偶数行目の表示ラインＬ１ｅの二行の表示ラインに対する駆動制御を同時に行うことによって、アドレス放電期間Ｗｃにおける発光セル選択のためのスキャン時間を、前述した第１および第２実施例の場合に比べてほぼ半分に短縮することが出来る。
【０１４７】
これによって、このアドレス放電期間Ｗｃが短縮された分の時間だけ、例えば、サステイン放電時間Ｉｃを延長して表示画像の高輝度化を図ったり、または、リセット放電期間Ｒｃを延長して表示画像の黒輝度の低減化を図ったりすることが可能になって、パネルの画像表示性能の改良を図ることが出来るようになる。
【実施例４】
【０１４８】
図１３は、この発明によるＰＤＰの実施形態における第４実施例を示している。
【０１４９】
前述した第１ないし第３実施例のＰＤＰは、行電極Ｘ１とＹ１が透明電極Ｋａのバス電極Ｋｂを挟んだ両側の部分によって構成されて、列方向において行電極Ｘ１とＹ１がＸ１−Ｙ１，Ｘ１−Ｙ１…というように交互に配置された構成になっているのに対し、この第４実施例におけるＰＤＰは、図１３に示されるように、透明電極Ｋ１ａのバス電極Ｋ１ｂを挟んだ両側の部分の双方が行電極Ｘ２を構成し、この透明電極Ｋ１ａに隣接する透明電極Ｋ２ａのバス電極Ｋ２ｂを挟んだ両側の部分の双方が行電極Ｙ２を構成していて、列方向において行電極Ｘ２とＹ２がＸ２−Ｙ２，Ｙ２−Ｘ２，Ｘ２−Ｙ２…というように表示ライン毎に入れ代わった配置になっている。
【０１５０】
すなわち、図１３において、このＰＤＰは、表示面である前面ガラス基板の背面に、ＩＴＯ等の透明導電膜によって形成されて行方向（図１３において左右方向）に延びる帯状の透明電極Ｋ１ａとＫ２ａが、列方向（図１３において上下方向）に交互に所要の大きさの間隔を開けて、等間隔に並設されている。
【０１５１】
この透明電極Ｋ１ａとＫ２ａは、それぞれ列方向に所要の幅を有している。
【０１５２】
この各透明電極Ｋ１ａの背面の列方向における中央位置には、行方向に延びる帯状の金属膜からなるバス電極Ｋ１ｂが形成されて、それぞれ透明電極Ｋ１ａに接続されており、同様に、各透明電極Ｋ２ａの背面の列方向における中央位置には、行方向に延びる帯状の金属膜からなるバス電極Ｋ２ｂが形成されて、それぞれ透明電極Ｋ２ａに接続されている。
【０１５３】
このバス電極Ｋ１ｂ，Ｋ２ｂの列方向の幅は、それぞれ、透明電極Ｋ１ａ，Ｋ２ａの列方向の幅の数分の一の大きさに設定されている。
【０１５４】
そして、前述したように、透明電極Ｋ１ａのバス電極Ｋ１ｂを挟んだ両側の部分の双方が行電極Ｘ２を構成し、透明電極Ｋ２ａのバス電極Ｋ２ｂを挟んだ両側の部分の双方が行電極Ｙ２を構成していて、互いに隣接する透明電極Ｋ１ａに構成された行電極Ｘ２と透明電極Ｋ２ａに構成された行電極Ｙ２とがそれぞれ放電ギャップｇ２を介して対向して、それぞれ表示ラインを形成している。
【０１５５】
すなわち、奇数行目の表示ラインＬ２ｏにおいては、上側に行電極Ｘ２が位置し下側に行電極Ｙ２が位置して行電極対（Ｘ２，Ｙ２）を構成しており、偶数行目の表示ラインＬ２ｅにおいては、上側に行電極Ｙ２が位置し下側に行電極Ｘ２が位置して行電極対（Ｙ２，Ｘ２）を構成しており、行電極対における行電極Ｘ２とＹ２の配置が、奇数行目の表示ラインＬ２ｏと偶数行目の表示ラインＬ２ｅとで、（Ｘ２，Ｙ２），（Ｙ２，Ｘ２），（Ｘ２，Ｙ２）…というように表示ライン毎に交互に入れ代わった配置になっている。
【０１５６】
この前面ガラス基板側のその他の部分の構成については、前述した第１ないし第３実施例の場合とほぼ同様である。
【０１５７】
この行電極対が形成された前面ガラス基板と放電空間を介して対向する背面ガラス基板の前面ガラス基板と対向する側に形成される列電極保護層および蛍光体層，隔壁２５の構成についても、前述した第１ないし第３実施例の場合とほぼ同様であり、横壁２５Ａと縦壁２５Ｂによって略格子形状に成形された隔壁２５によって放電空間が放電セルＣ２毎に区画されている。
【０１５８】
この背面ガラス基板の前面ガラス基板と対向する側の面上には、列方向に延びる複数の列電極が形成されて、列電極保護層によって被覆されている。
【０１５９】
そして、この各列電極は、それぞれ奇数ライン列電極Ｄ４Ａと偶数ライン列電極Ｄ４Ｂの二本の列電極から構成され、この奇数ライン列電極Ｄ４Ａと偶数ライン列電極Ｄ４Ｂとが互いに行方向に所要の間隔を開けて等間隔に交互に配置されている。
【０１６０】
この列電極の奇数ライン列電極Ｄ４Ａは、放電セルＣ２に対向する位置において列方向に直線状に延びる第１本体部Ｄ４Ａ１と、この第１本体部Ｄ４Ａ１が対向する放電セルＣ２に列方向に隣接す放電セルＣ２の前面ガラス基板側から見て左側に位置する隔壁２５の縦壁２５Ｂに対向する位置において列方向に直線状に延びる第２本体部Ｄ４Ａ２と、それぞれバス電極Ｋ１ｂ，Ｋ２ｂに対向する位置において列方向に対して斜行する方向に延びて第１本体部Ｄ４Ａ１と第２本体部Ｄ４Ａ２の端部を互いに連結する連結部Ｄ４Ａ３，Ｄ４Ａ４とによって、第１本体部Ｄ４Ａ１と第２本体部Ｄ４Ａ２が列方向に沿ってジグザグに位置する蛇行形状を構成するように成形されている。
【０１６１】
そして、この奇数ライン列電極Ｄ４Ａの各第１本体部Ｄ４Ａ１には、透明電極Ｋ２ａに構成される行電極Ｙ２に対向する部分に、この第１本体部Ｄ４Ａ１の他の部分よりも行方向の幅が広い拡幅部Ｄ４Ａ１ａが形成されている。
【０１６２】
列電極の偶数ライン列電極Ｄ４Ｂも、奇数ライン列電極Ｄ４Ａと同様に、放電セルＣ２に対向する位置において列方向に直線状に延びる第１本体部Ｄ４Ｂ１と、この第１本体部Ｄ４Ｂ１が対向する放電セルＣ２に列方向に隣接する放電セルＣ２の前面ガラス基板側から見て左側に位置する隔壁２５の縦壁２５Ｂに対向する位置において列方向に直線状に延びる第２本体部Ｄ４Ｂ２と、それぞれバス電極Ｋ１ｂ，Ｋ２ｂに対向する位置において列方向に対して斜行する方向に延びて第１本体部Ｄ４Ｂ１と第２本体部Ｄ４Ｂ２の端部を互いに連結する連結部Ｄ４Ｂ３，Ｄ４Ｂ４とによって、第１本体部Ｄ４Ｂ１と第２本体部Ｄ４Ｂ２が列方向に沿ってジグザグに位置する蛇行形状を構成するように成形されており、各第１本体部Ｄ４Ｂ１の透明電極Ｋ２ａに構成される行電極Ｙ２に対向する部分に、この第１本体部Ｄ４Ｂ１の他の部分よりも行方向の幅が広い拡幅部Ｄ４Ｂ１ａが形成されている。
【０１６３】
そして、この奇数ライン列電極Ｄ４Ａと偶数ライン列電極Ｄ４Ｂは、行方向において、奇数ライン列電極Ｄ４Ａの第１本体部Ｄ４Ａ１と偶数ライン列電極Ｄ４Ｂの第２本体部Ｄ４Ｂ２が並行し、第２本体部Ｄ４Ａ２と第１本体部Ｄ４Ｂ１が並行した状態で互いに等間隔に配置されて、列方向に並ぶ放電セルＣ２に、隣接する奇数ライン列電極Ｄ４Ａの第１本体部Ｄ４Ａ１と偶数ライン列電極Ｄ４Ｂの第１本体部Ｄ４Ｂ１が交互に対向されている。
【０１６４】
すなわち、このＰＤＰは、一列の放電セルＣ２に対する列電極が、奇数ライン列電極Ｄ４Ａと偶数ライン列電極Ｄ４Ｂの二本の列電極によって構成され、奇数ライン列電極Ｄ４Ａの第１本体部Ｄ４Ａ１が対向されて行方向に並ぶ放電セルＣ２によって、奇数行目の表示ラインＬ２ｏが構成され、偶数ライン列電極Ｄ４Ｂの第１本体部Ｄ４Ｂ１が対向されて行方向に並ぶ放電セルＣ２によって、偶数行目の表示ラインＬ２ｅが構成されている。
【０１６５】
そして、奇数行目の表示ラインＬ２ｏの放電セルＣ２には、行電極対（Ｘ２，Ｙ２）が対向され、偶数行目の表示ラインＬ２ｅの放電セルＣ２には、行電極対（Ｙ２，Ｘ２）が対向されている。
【０１６６】
上記ＰＤＰの駆動は、図１４に示されるパルス出力タイミングチャートに基づいて行われる。
【０１６７】
このＰＤＰの駆動は、第１ないし第３実施例の場合と同様に、順次走査（プログレッシブ）駆動によって行われ、さらに、１フィールドの表示期間をＮビットの表示データに対応した個数のサブフィールドに分割して発光を行わせる、いわゆる、サブフイールド法によって行われる。
【０１６８】
そして、図１４は、このサブフイールド法において、１フィールドの表示期間が複数個のサブフィールドに分割された際の、一つのサブフィールドのパルス出力タイミングチャートを示しており、各サブフィールドは、それぞれ、リセット放電期間Ｒ１ｃとアドレス放電期間Ｗ１ｃ，サステイン放電期間Ｉ１ｃから構成されている。
【０１６９】
この図１４において、ＰＤＰの駆動は、先ず、最初のリセット放電期間Ｒ１ｃに、隣接するバス電極Ｋ１ｂとＫ２ｂに、互いに電位が逆のリセット・パルスＲＰ１ａ，ＲＰ１ｂが、一斉に印加される。
【０１７０】
これによって、奇数行表示ラインＬ２ｏを構成する各行電極対（Ｘ２，Ｙ２）と偶数行表示ラインＬ２ｅを構成する各行電極対（Ｙ２，Ｘ２）とにおいて、全ての放電セルＣ２内において、放電ギャップｇ２を介してリセット放電が発生される。
【０１７１】
そして、このリセット放電によって、各放電セルＣ１に対向している誘電体層１１の部分の全てに壁電荷が形成される。
【０１７２】
次に、アドレス放電期間Ｗ１ｃにおいて、バス電極Ｋ２ｂ1〜Nに対して、負電位のスキャン・パルスＳＰ１が順次印加されるとともに、各奇数ライン列電極Ｄ４Ａと偶数ライン列電極Ｄ４Ｂに対して、映像信号の表示データに対応したデータ・パルスＤＰ１が選択的に印加されて、スキャン・パルスＳＰ１が印加されているバス電極Ｋ２ｂ1〜Nに接続された行電極Ｙ２とデータ・パルスＤＰ１が印加された奇数ライン列電極Ｄ４Ａまたは偶数ライン列電極Ｄ４Ｂとの間で、放電セルＣ２内で選択的にアドレス放電が発生される。
【０１７３】
このとき、透明電極Ｋ２ａのバス電極Ｋ２ｂを挟んで両側に構成されている行電極Ｙ２は、それぞれ、奇数ライン列電極Ｄ４Ａの第１本体部Ｄ４Ａ１と偶数ライン列電極Ｄ４Ｂの第１本体部Ｄ４Ｂ１に別個に対向されているために、列方向に隣接する放電セルＣ２間で独立してアドレス放電を発生させることが可能である。
【０１７４】
以上のようにして、各奇数行目の表示ラインＬ２ｏに沿った放電セルＣ２および偶数行目の表示ラインＬ２ｅに沿った放電セルＣ２内において、それぞれ、選択的にアドレス放電が行われて、発光セル（行電極Ｙ２に対向する部分のマイナス極性の壁電荷が消去された放電セルＣ２）と非発光セル（行電極Ｙ２に対向する部分の壁電荷がマイナス極性のままの放電セルＣ２）とが画像データに基づいてパネル面に分布される。
【０１７５】
このアドレス放電期間Ｗ１ｃの終了後、次のサステイン放電期間Ｉ１ｃにおいて、バス電極Ｋ１ｂとバス電極Ｋ１ｂに交互に正電位のサステイン・パルスＩＰ１が交互に印加される。
【０１７６】
そして、このサステイン・パルスＩＰ１が印加される毎に、発光セル内においてサステイン放電が繰り返し発生されて、放電ガス中のキセノンから発生する真空紫外線により各放電セルＣ２の赤，緑，青の蛍光体層が励起されて可視光が発生されることにより、マトリクス表示による画像が形成される。
【０１７７】
ここで、上記ＰＤＰは、奇数ライン列電極Ｄ４Ａの第１本体部Ｄ４Ａ１と偶数ライン列電極Ｄ４Ｂの第１本体部Ｄ４Ｂ１のそれぞれ行電極Ｙ２に対向している部分に、拡幅部Ｄ４Ａ１ａ，Ｄ４Ｂ１ａが形成されて、行電極Ｙ２との対向面積が拡大されていることによって、アドレス放電が発生し易くなっているが、アドレス放電期間Ｗ１ｃにおいては、バス電極Ｋ１ｂのみにスキャン・パルスＳＰ１が印加されて、行電極Ｘ２と奇数ライン列電極Ｄ４Ａまたは偶数ライン列電極Ｄ４Ｂとの間で誤放電が発生する虞は無いので、第２および第３実施例の場合のように、必ずしも奇数ライン列電極Ｄ４Ａの第１本体部Ｄ４Ａ１と偶数ライン列電極Ｄ４Ｂの第１本体部Ｄ４Ｂ１に拡幅部を形成する必要は無い。
【０１７８】
以上のように、上記構成のＰＤＰおよびこのＰＤＰの駆動方法によれば、隣接する奇数行表示ラインＬ２ｏと偶数行表示ラインＬ２ｅ間において、背中合わせに位置する行電極Ｘ２がバス電極Ｋ１ａを共有し、行電極Ｙ２がバス電極Ｋ１ｂを共有していることによって、表示ライン間に形成される非表示領域が従来のＰＤＰと比較して非常に小さくなるので、画面の高精細化によりパネル面における放電セルの数が増加する場合でも、放電セル一個当たりの面積を従来のＰＤＰに比べて大きくすることが出来るので、高精細パネルにおいても充分な輝度を確保することが出来るようになる。
【０１７９】
そして、上記ＰＤＰの構成によれば、一列の放電セルＣ２に対する列電極が奇数ライン列電極Ｄ４Ａと偶数ライン列電極Ｄ４Ｂの二本の列電極によって構成されていることにより、この二本の奇数ライン列電極Ｄ４Ａと偶数ライン列電極Ｄ４Ｂによって、奇数行目の表示ラインＬ２ｏと偶数行目の表示ラインＬ２ｅの二行の表示ラインに対する駆動制御を別個に行うことが可能になる。
【０１８０】
従って、奇数行目の表示ラインＬ２ｏと偶数行目の表示ラインＬ２ｅの二行の表示ラインに対する駆動制御を同時に行うことによって、アドレス放電期間Ｗ１ｃにおける発光セル選択のためのスキャン時間を、前述した第１および第２実施例の場合に比べてほぼ半分に短縮することが出来る。
【０１８１】
これによって、このアドレス放電期間Ｗ１ｃが短縮された分の時間だけ、例えば、サステイン放電時間Ｉ１ｃを延長して表示画像の高輝度化を図ったり、または、リセット放電期間Ｒ１ｃを延長して表示画像の黒輝度の低減化を図ったりすることが可能になって、パネルの画像表示性能の改良を図ることが出来るようになる。
【０１８２】
さらに、上記ＰＤＰは、透明電極Ｋ１ａのバス電極Ｋ１ｂを挟んだ両側の部分の双方が行電極Ｘ２を構成し、透明電極Ｋ２ａのバス電極Ｋ２ｂを挟んだ両側の部分の双方が行電極Ｙ２を構成しており、アドレス放電期間Ｗ１ｃに、バス電極Ｋ２ｂのみ（すなわち、行電極Ｙ２のみ）にスキャン・パルスＳＰ１が印加されて、行電極Ｘ２側に電位が付加されることは無いので、第１ないし第３実施例の場合のように、誘電体層の壁電荷の極性を反転させる極性反転放電を発生させる必要がなく、これによって、ＰＤＰの駆動を第１ないし第３実施例の場合よりも簡易に行うことが出来るようになる。
【０１８３】
上記第１ないし第３実施例のＰＤＰは、放電空間を介して互いに対向される一対の基板のうちの一方の基板の内面側に、行方向に帯状に延びる透明電極が列方向に放電ギャップを介して並設され、この透明電極の列方向のほぼ中央位置にそれぞれ行方向に延びるバス電極が配置されて透明電極に接続されており、透明電極のバス電極に対して列方向の一方の側が第１行電極部を構成し、他方の側が第２行電極部を構成し、この透明電極の一方の側の第１行電極部と隣接する他の透明電極の他方の側の第２行電極部が放電ギャップを介して対向されて、それぞれ表示ラインを形成する行電極対を構成し、他方の基板の内面側に、列方向に延びて行電極対との間に単位発光領域を形成する列電極が行方向に並設され、透明電極の第１行電極部と列電極との間で放電が開始される電位よりも第２行電極部と列電極との間で放電が開始される電位が小さくなるよう構成されていることによって、隣接する表示ライン間において、背中合わせに位置する第１行電極部と第２行電極部がバス電極を共有している場合でも、アドレス放電の際の誤放電の発生が防止されるので、プログレッシブ走査駆動が可能となり、画面のちらつきが防止されるとともに輝度の向上が図られるとともに、単位発光領域一個当たりの面積を従来のＰＤＰに比べて大きくすることが出来るので、高精細パネルにおいても充分な輝度を確保することが出来るようになる。
【０１８４】
上記第１ないし第３実施例のＰＤＰの駆動方法は、上記構成のＰＤＰの奇数行目と偶数行目の行電極対のうちの何れかの行電極対において、この行電極対を構成する第１行電極部と第２行電極部との間で極性反転放電が発生されて、単位発光領域内の第１行電極部に対向する部分と第２行電極部に対向する部分の誘電体層に形成されている壁電荷の極性がそれぞれ反転され、隣接する表示ライン間において、背中合わせに位置する第１行電極部と第２行電極部がバス電極を共有している場合でも、誘電体層に形成される壁電荷の極性が列方向において隣接する単位発光領域間で揃えられるので、プログレッシブ走査駆動が可能となり、画面のちらつきが防止されるとともに輝度の向上が図られて、画面の高精細化を可能にすることが出来る。
【０１８５】
上記第４実施例のＰＤＰは、一対の基板の一方の基板に設けられた複数の行電極のうち、列方向において奇数番目に位置する行電極の列方向の両方の側が第１行電極部を構成し、偶数番目に位置する行電極の列方向の両方の側が第２行電極部を構成し、互いに隣接する奇数番目と偶数番目の行電極のそれぞれに構成された第１行電極部と第２行電極部とが放電ギャップを介して対向されて、それぞれ表示ラインを形成する行電極対を構成し、列電極が列方向に並ぶ単位発光領域の一列毎に一対ずつ配置され、この一対の列電極のうち一方の列電極が、列方向に並ぶ単位発光領域のうちの奇数番目の表示ラインに位置する各単位発光領域のみに対向され、他方の列電極が偶数番目の表示ラインに位置する各単位発光領域のみに対向されていることによって、表示ライン間に形成される非表示領域が従来のＰＤＰと比較して非常に小さくなるので、画面の高精細化によりパネル面における放電セルの数が増加する場合でも、放電セル一個当たりの面積を従来のＰＤＰに比べて大きくすることが出来、高精細パネルにおいても充分な輝度を確保することが出来るようになるとともに、一列の単位発光領域に対する列電極がそれぞれ二本の列電極によって構成されていることにより、それぞれ、この二本の列電極によって、奇数行目と偶数行目の表示ラインの二行の表示ラインに対する駆動制御を別個に行うことが可能になり、この二行の表示ラインに対する駆動制御を同時に行うことによって、アドレス放電期間における発光セル選択のためのスキャン時間を短縮することが出来、これによって、例えば、サステイン放電時間を延長して表示画像の高輝度化を図ったり、または、リセット放電期間を延長して表示画像の黒輝度の低減化を図ったりすることが可能になって、パネルの画像表示性能の改良を図ることが出来るようになり、さらに、第１行電極部と第２行電極部が別体に構成されて、列電極との間でアドレス放電を発生させる側の行電極部のみにスキャン・パルスを印加するようにすることが出来るので、第１行電極部と第２行電極部が一体に構成される場合と比較して、誘電体層の壁電荷の極性を反転させる極性反転放電を発生させる必要がなく、これによって、ＰＤＰの駆動を簡易に行うことが出来る。
【図面の簡単な説明】
【０１８６】
【図１】従来例を示す正面図である。
【図２】図１のＶ−Ｖ線における断面図である。
【図３】図１のＷ−Ｗ線における断面図である。
【図４】この発明の実施形態における第１実施例を模式的に示す正面図である。
【図５】図４のＶ１−Ｖ１線における断面図である。
【図６】同実施例におけるＰＤＰの駆動方法を示すパルス出力タイミング・チャートである。
【図７】同実施例におけるＰＤＰと従来のＰＤＰの放電セルの開口面積の比較を示す説明図である。
【図８】この発明の実施形態における第２実施例を模式的に示す正面図である。
【図９】図８のＶ２−Ｖ２線における断面図である。
【図１０】同実施例の変形例を模式的に示す正面図である。
【図１１】この発明の実施形態における第３実施例を模式的に示す正面図である。
【図１２】図１１のＶ３−Ｖ３線における断面図である。
【図１３】この発明の実施形態における第４実施例を模式的に示す正面図である。
【図１４】同実施例におけるＰＤＰの駆動方法を示すパルス出力タイミング・チャートである。
【符号の説明】
【０１８７】
１０              …前面ガラス基板（一方の基板）
１１              …誘電体層
１３              …背面ガラス基板（他方の基板）
１５，２５        …隔壁
１５Ａ            …隔壁底板（電界を弱める層）
１５Ｃ，２５Ｂ    …縦壁（縦壁部）
１５ｈ            …貫通口
Ｃ１，Ｃ２        …放電セル（単位発光領域）
Ｄ１，Ｄ２，Ｄ３  …列電極
Ｄ２ａ            …張出部
Ｄ２ｂ            …直線部
Ｄ３ａ            …張出部分
Ｄ３ｂ            …直線部
Ｄ３Ａ，Ｄ４Ａ    …奇数ライン列電極
Ｄ３Ｂ，Ｄ４Ｂ    …偶数ライン列電極
Ｄ３Ａ１，Ｄ４Ａ１，Ｄ３Ｂ１，Ｄ４Ｂ１  …第１本体部
Ｄ３Ａ２，Ｄ４Ａ２，Ｄ３Ｂ２，Ｄ４Ｂ２  …第２本体部
Ｄ３Ａ１ａ，Ｄ３Ｂ１ａ，Ｄ４Ａ１ａ，Ｄ４Ｂ１ａ  …拡幅部
Ｋａ，Ｋ１ａ，Ｋ２ａ  …透明電極
Ｋｂ，Ｋ１ｂ，Ｋ２ｂ  …バス電極
Ｘ１，Ｘ２            …行電極（第１行電極部）
Ｙ１，Ｙ２            …行電極（第２行電極部）
Ｌ１                  …表示ライン
Ｌ１ｏ，Ｌ２ｏ        …奇数行目の表示ライン
Ｌ１ｅ，Ｌ２ｅ        …偶数行目の表示ライン
ＲＰａ，ＲＰｂ，Ｒ１Ｐａ，Ｒ１Ｐｂ      …リセット・パルス
ＳＰ，ＳＰ１          …スキャン・パルス
ＶＰｅ                …負電圧パルス（電圧パルス）
ＶＰｏ                …正電圧パルス（電圧パルス）
ＩＰ，ＩＰ１          …サステイン・パルス
ＤＰ，ＤＰ１          …データ・パルス
ｇ１，ｇ２            …放電ギャップ
【図１】
2007053077.tif 000003
【図２】
2007053077.tif 000004
【図３】
2007053077.tif 000005
【図４】
2007053077.tif 000006
【図５】
2007053077.tif 000007
【図６】
2007053077.tif 000008
【図７】
2007053077.tif 000009
【図８】
2007053077.tif 000010
【図９】
2007053077.tif 000011
【図１０】
2007053077.tif 000012
【図１１】
2007053077.tif 000013
【図１２】
2007053077.tif 000014
【図１３】
2007053077.tif 000015
【図１４】
2007053077.tif 000016